(57)【特許請求の範囲】
【請求項１】
冷媒が循環されるヒートポンプサイクルを有するヒートポンプユニットと，前記ヒートポンプサイクルに循環される冷媒との熱交換によって加熱された後の温水を貯湯する貯湯タンクを有するタンクユニットとを備えてなり，前記ヒートポンプユニットが所定の電源に接続され，該ヒートポンプユニットから前記タンクユニットに電源供給が行われるヒートポンプ式給湯機であって，
前記ヒートポンプユニットが，前記所定の電源から該ヒートポンプユニットへの電源供給経路上に設けられ，過電流，短絡又は漏電の発生に応じて前記電源供給経路を遮断する配線用遮断器を備えてなり，
前記タンクユニットが，前記貯湯タンク内の温水が予め設定された異常高温に達したことを条件に，前記ヒートポンプユニットから該タンクユニットへの電源供給経路に過電流，短絡又は漏電を発生させることにより前記配線用遮断器を作動させる強制遮断回路を備えてなることを特徴とするヒートポンプ式給湯機。
【請求項２】
前記強制遮断回路が，前記貯湯タンク内の温水が前記異常高温に達したことを条件に作動して回路を遮断するサーモスタットと，前記サーモスタットに直列接続された第１の継電器と，前記ヒートポンプユニットから前記タンクユニットへの電源供給経路をアースに接続する経路上に設けられ，前記第１の継電器への通電／非通電に応じて開／閉となる第１の接点と，前記ヒートポンプユニットからの電源供給によって駆動する制御回路と，前記制御回路によって通電／非通電が制御される第２の継電器と，前記第１の接点に直列接続され，前記第２の継電器への通電／非通電に応じて閉／開となる第２の接点とを含んでなり，
前記制御回路が，少なくとも前記第１の継電器への通電がなされた後に前記第２の継電器への通電を開始するものである請求項１に記載のヒートポンプ式給湯機。
【請求項３】
前記貯湯タンクから温水を出湯する出湯経路上において温水を加熱する補助加熱手段を有し，所定の電源に接続される補助加熱ユニットを更に備えてなり，
少なくとも前記タンクユニットの制御回路及び前記貯湯タンクから温水を出湯するための駆動系への電源供給が前記補助加熱ユニットから行われてなる請求項１又は２のいずれかに記載のヒートポンプ式給湯機。
【発明の詳細な説明】
【技術分野】
【０００１】
本発明は，冷媒が循環されるヒートポンプサイクルを有するヒートポンプユニットが所定の熱源に接続され，該ヒートポンプユニットから，前記ヒートポンプサイクルに循環される冷媒との熱交換によって加熱された後の温水を貯湯する貯湯タンクを有するタンクユニットに電源供給が行われるタイプのヒートポンプ式給湯機に関するものである。
【背景技術】
【０００２】
従来から，冷媒が循環されるヒートポンプサイクル（冷凍サイクル）を有するヒートポンプユニットと，該ヒートポンプサイクルに循環される冷媒との熱交換によって加熱された温水を貯湯する貯湯タンクを有するタンクユニットとを備えたヒートポンプ式給湯機（例えば，特許文献１参照）が知られている。
一般に，ヒートポンプ式給湯機では，タンクユニットが商用交流電源に接続され，該タンクユニットからヒートポンプユニットに電源供給が行われる。ここに，図３は従来の一般的なヒートポンプ式給湯の一例であるヒートポンプ式給湯機Ｙの概略構成を示すブロック図である。
【０００３】
図３に示すように，ヒートポンプ式給湯機Ｙは，ヒートポンプサイクルを有するヒートポンプユニット１０１及び貯湯タンクを有するタンクユニット１０２を備えている。
タンクユニット１０２は，商用交流電源１００に接続されており，該商用交流電源１００からの交流電源は，端子板１２１，漏電ブレーカ１２２を介して制御回路１２３に供給される。また，制御回路１２３には，その交流電源を低圧の直流電源に変換する電源回路などが設けられており，該電源回路からの直流電源によってマイコン１２４が駆動される。
そして，ヒートポンプユニット１０１とタンクユニット１０２とは，各々に設けられた端子板１１３，１２５を介して，電源供給経路１３１，１３２及び信号経路１３３によって接続されている。これにより，ヒートポンプユニット１０１では，タンクユニット１０２から電源供給経路１３１，１３２を通じて供給された交流電源が，マイコン１１２などが搭載された制御回路１１１に入力される。
【０００４】
また，ヒートポンプ式給湯機Ｙでは，ヒートポンプユニット１０１のマイコン１１２とタンクユニット１０２のマイコン１２４とが，信号経路１３３及び電源供給経路１３２を通じて通信を行うことにより，タンクユニット１０２の貯湯タンク内の水の加熱制御などが行われる。これにより，タンクユニット１０２の貯湯タンク内に所定温度の温水が所定量以上貯湯された状態が維持される。
但し，ヒートポンプ式給湯機Ｙでは，ヒートポンプユニット１０１のマイコン１１２の暴走などによって，ヒートポンプサイクルの駆動による貯湯タンク内の温水の加熱が継続的に行われ，該貯湯タンク内の温水が異常高温に達するおそれがある。
そこで，タンクユニット１０２からヒートポンプユニット１０１への電源供給経路１３１上には，タンクユニット１０２に設けられた貯湯タンク内の温水が異常高温に達した場合に作動して，電源供給経路１３１を遮断するサーモスタット１２６を設けることが望ましい。これにより，ヒートポンプユニット１０１のマイコン１１２の暴走などによって温水の異常加熱が発生した場合には，サーモスタット１２６の作動によってヒートポンプユニット１０１の電源が強制的に切られ，安全性が確保される。
【特許文献１】特開２００４−１９０９０５号公報
【発明の開示】
【発明が解決しようとする課題】
【０００５】
ところで，ヒートポンプ式給湯機の構成として，ヒートポンプユニットを商用交流電源に接続し，該ヒートポンプユニットからタンクユニットに電源供給を行うという構成が採られることがある。ここに，図４は，そのように構成されたヒートポンプ式給湯機Ｚを示すブロック図である。なお，ヒートポンプ式給湯機Ｙと同様の構成は同じ符号を付している。
図４に示すように，ヒートポンプ式給湯機Ｚでは，ヒートポンプユニット１０１が商用交流電源１００に接続されており，該商用交流電源１００からの交流電源は，端子板１１４，漏電ブレーカ１１５を介して制御回路１１１に供給される。そして，ヒートポンプユニット１０１から電源供給経路１３１，１３２を介してタンクユニット１０２への電源供給が行われる。
このように構成されたヒートポンプ式給湯機Ｚにおいても，タンクユニット１０２に設けられた貯湯タンク内の温水が異常高温に達した場合に，ヒートポンプユニット１０１の電源を強制的に切ることが望ましい。
しかしながら，そのためには，図４に示すように，商用交流電源１００からヒートポンプユニット１０１に電源を供給する電源供給経路１４１を，タンクユニット１０２に設けられたサーモスタット１２６を経由するように配線することになり，ヒートポンプユニット１０１とタンクユニット１０２との間の接続配線数を増加させる必要があるという問題が生じる。
従って，本発明は上記事情に鑑みてなされたものであり，その目的とするところは，ヒートポンプユニットからタンクユニットに電源供給が行われる構成において，それらの間の接続配線数を増加させることなく，該タンクユニットの貯湯タンク内の温水の異常加熱発生時にヒートポンプユニットの電源を確実に切断することのできるヒートポンプ式給湯機を提供することにある。
【課題を解決するための手段】
【０００６】
上記目的を達成するために本発明は，冷媒が循環されるヒートポンプサイクルを有するヒートポンプユニットと，前記ヒートポンプサイクルに循環される冷媒との熱交換によって加熱された後の温水を貯湯する貯湯タンクを有するタンクユニットとを備えてなり，前記ヒートポンプユニットが所定の電源に接続され，該ヒートポンプユニットから前記タンクユニットに電源供給が行われるヒートポンプ式給湯機に適用されるものであって，前記ヒートポンプユニットが，前記所定の電源から該ヒートポンプユニットへの電源供給経路上に設けられ，過電流，短絡又は漏電の発生に応じて前記電源供給経路を遮断する配線用遮断器を備えてなり，前記タンクユニットが，前記貯湯タンク内の温水が予め設定された異常高温に達したことを条件に，前記ヒートポンプユニットから該タンクユニットへの電源供給経路に過電流，短絡又は漏電を発生させることにより前記配線用遮断器を作動させる強制遮断回路を備えてなることを特徴とするヒートポンプ式給湯機として構成される。
本発明によれば，前記ヒートポンプユニットの制御回路の暴走などによって前記タンクユニットの貯湯タンク内の温水が異常高温に達した場合に，該ヒートポンプユニットへの電源供給を強制的に遮断して安全性を確保することができる構成を，前記ヒートポンプユニットと前記タンクユニットとの間の接続配線数を増加させることなく実現することができる。
【０００７】
本発明の具体的構成としては，前記強制遮断回路が，前記貯湯タンク内の温水が前記異常高温に達したことを条件に作動して回路を遮断するサーモスタットと，前記サーモスタットに直列接続された第１の継電器と，前記ヒートポンプユニットから前記タンクユニットへの電源供給経路をアースに接続する経路上に設けられ，前記第１の継電器への通電／非通電に応じて開／閉となる第１の接点と，前記ヒートポンプユニットからの電源供給によって駆動する制御回路と，前記制御回路によって通電／非通電が制御される第２の継電器と，前記第１の接点に直列接続され，前記第２の継電器への通電／非通電に応じて閉／開となる第２の接点とを含んでなり，前記制御回路が，少なくとも前記第１の継電器への通電がなされた後に前記第２の継電器への通電を開始するものであることが考えられる。これにより，前記タンクユニットの貯湯タンク内の温水が異常高温に達した場合に該ヒートポンプユニットへの電源供給を強制的に遮断する構成が具現される。
また，前記ヒートポンプユニットへの電源供給が遮断されると，前記タンクユニットへの電源供給も遮断されることになるため，該タンクユニットにおける貯湯タンクからの出湯を行うこともできなくなる。
そのため，前記貯湯タンクから温水を出湯する出湯経路上において温水を加熱する補助加熱手段を有し，所定の電源に接続される補助加熱ユニットを更に備えてなり，少なくとも前記タンクユニットの制御回路及び前記貯湯タンクから温水を出湯するための駆動系への電源供給が前記補助加熱ユニットから行われてなることが望ましい。これにより，前記ヒートポンプユニットの電源供給を遮断した後も，前記タンクユニットの貯湯タンクから温水を出湯することができる。
【発明の効果】
【０００８】
本発明によれば，前記ヒートポンプユニットの制御回路の暴走などによって前記タンクユニットの貯湯タンク内の温水が異常高温に達した場合に，該ヒートポンプユニットへの電源供給を強制的に遮断して安全性を確保することができる構成を，前記ヒートポンプユニットと前記タンクユニットとの間の接続配線数を増加させることなく実現することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るヒートポンプ式給湯機Ｘの概略構成を示すブロック図である。
まず，図１を用いて，本発明の実施の形態に係るヒートポンプ式給湯機Ｘの概略構成について説明し，その後，該ヒートポンプ式給湯機Ｘの動作について説明する。
図１に示すように，ヒートポンプ式給湯機Ｘは，冷媒が循環されるヒートポンプサイクル（不図示）を有するヒートポンプユニット１と，前記ヒートポンプサイクルによって加熱された後の温水を貯湯する貯湯タンク（不図示）を有するタンクユニット２とを備えている。なお，前記ヒートポンプサイクルは，圧縮機や室外空気熱交換器，膨張機構，水熱交換器などを有するものであって従来と異なるものではない。ヒートポンプ式給湯機Ｘでは，前記ヒートポンプサイクルに冷媒が循環されることにより前記水熱交換器における冷媒との熱交換によって前記貯湯タンク内の水（温水）が加熱される。
【００１０】
ヒートポンプユニット１は，商用交流電源１０（例えばＡＣ２００Ｖ，所定の電源の一例）に直接接続されており，該商用交流電源１０からの交流電源は，端子板１１，漏電ブレーカ１２を介して，該ヒートポンプユニット１に供給される。そして，このヒートポンプユニット１に供給された交流電源は，マイコン１４が搭載された制御回路１３に入力される。
漏電ブレーカ１２は，商用交流電源１０からヒートポンプユニット１への電源供給経路上に設けられ，該漏電ブレーカ１２の二次側における過電流，短絡又は漏電（地絡）の発生を検出することによって作動し，該電源供給経路を遮断することにより二次側への電源供給を停止させる配線用遮断器である。例えば，漏電ブレーカ１２は漏洩電流や零相電流を監視することによって漏電（地絡）を検出する。なお，漏電ブレーカ１２は，ユーザなどによる所定の操作に応じて復旧される。
制御回路１３には，交流電源を低圧の直流電源に変換する電源回路（不図示）などが設けられており，該電源回路からの直流電源がマイコン１４などに供給される。
マイコン１４は，制御回路１３に設けられた不図示のＲＡＭやＲＯＭなどを用いて各種の制御プログラムを実行することにより当該ヒートポンプユニット１を統括的に制御するものである。例えば，マイコン１４は，タンクユニット２のマイコン２３との通信を行うことにより，該タンクユニット２の貯湯タンク内の温水を沸き上げる貯湯運転などを実行する。
【００１１】
一方，ヒートポンプユニット１とタンクユニット２とは，各々に設けられた端子板１５，２１を介して電源供給経路３１，３２及び信号経路３３によって接続されている。ヒートポンプユニット１側において，電源供給経路３１，３２は，漏電ブレーカ１２の二次側に接続されている。これにより，タンクユニット２はヒートポンプユニット１を介して商用交流電源１０に接続されることになり，該ヒートポンプユニット１からタンクユニット２に電源供給が行われることになる。そして，タンクユニット２に供給された交流電源は，端子板２１を介して，マイコン２３が搭載された制御回路２２に入力される。
制御回路２２には，ヒートポンプユニット１から供給された交流電源を低圧の直流電源に変換する電源回路（不図示）などが設けられており，該電源回路からの直流電源がマイコン２３などに供給されることにより該マイコン２３は駆動する。マイコン２３は，制御回路２２に設けられた不図示のＲＡＭやＲＯＭなどを用いて各種の制御プログラムを実行することにより当該タンクユニット２を統括的に制御するものである。前述したように，マイコン２３は，ヒートポンプユニット１のマイコン１４との通信を行うことにより，該タンクユニット２の貯湯タンク内の温水を沸き上げる貯湯運転などを実行する。
【００１２】
このように構成されたヒートポンプ式給湯機Ｘでは，正常時，ヒートポンプユニット１のマイコン１４とタンクユニット２のマイコン２３との連携によって貯湯タンク内の温水の温度や温水量が調整されるが，そのマイコン１４やマイコン２３が暴走した場合などの異常時には，ヒートポンプユニット１による温水の加熱動作が継続し，前記貯湯タンク内の温水が異常高温に達するおそれがある。
そのため，本発明の実施の形態に係るヒートポンプ式給湯機Ｘには，タンクユニット２の貯湯タンク内の温水が異常高温に達した場合に，ヒートポンプユニット１の電源を強制的に遮断する強制遮断回路４０が設けられている。以下，係る強制遮断回路４０について詳説する。
【００１３】
図１に示すように，強制遮断回路４０は，サーモスタット４１，リレー４２（第１の継電器に相当），リレー４３（第２の継電器に相当）及び抵抗４４などを有している。サーモスタット４１，リレー４２は，制御回路２２の電源回路（不図示）から直流電源が供給される直流回路４１ａに接続されている。
サーモスタット４１は，タンクユニット２に設けられた貯湯タンク内の温水が予め設定された異常高温に達したことを検知して作動するものであって，該サーモスタット４１に直列接続されたリレー４２への通電の有無を切り換えるものである。具体的に，サーモスタット４１は，貯湯タンク内の温水が前記異常高温に達した場合（以下「高温異常」という）に，直流回路４１ａを遮断してリレー４２への通電を遮断する。なお，一度サーモスタット４１が作動すると，該サーモスタット４１は，ユーザなどによる所定の復旧操作がなされるまで作動状態，即ち直流回路４１ａを遮断した状態で維持される。
リレー４２は，該リレー４２への通電／非通電によって，電源供給経路３１をアースに接続する地絡ライン４５上に設けられた接点４２ｂ（第１の接点に相当）の開／閉を切り換えるものである。即ち，リレー４２への通電がなされている状態では，接点４２ｂが開かれるため，地絡ライン４５は遮断されることになる。
また，リレー４３は，マイコン２３によって通電／非通電が制御されるものであって，その通電／非通電によって，地絡ライン４５上の接点４２ｂに直列接続された接点４３ａ（第２の接点に相当）の閉／開を切り換える。即ち，リレー４３への通電がなされていない状態では，接点４３ａが開かれるため，地絡ライン４５は遮断される。
【００１４】
以下，上述のように構成された強制遮断回路４０の動作について説明する。
まず，ヒートポンプ式給湯機Ｘに電源が投入される際の強制遮断回路４０の動作について説明する。
ヒートポンプユニット１からタンクユニット２への電源供給がなされていない状態では，該タンクユニット２の制御回路２２の電源回路（不図示）から直流電源が出力されないため，マイコン２３が動作しておらず，また，直流回路４１ａには通電がなされない。
従って，リレー４２及びリレー４３には共に通電がなされず，接点４２ｂは閉じた状態であって，接点４３ａは開放された状態である。即ち，電源供給経路３１に接続された地絡ライン４５は遮断された状態にある。
【００１５】
一方，ヒートポンプユニット１とタンクユニット２とが電源供給経路３１，３２，信号経路３３によって接続され，該ヒートポンプユニット１が商用交流電源１０に接続されると，該電源供給経路３１，３２を通じてヒートポンプユニット１からタンクユニット２に電源供給が行われる。
この場合，タンクユニット２では，制御回路２２の電源回路から直流電源が出力されることにより，マイコン２３が駆動し，また，直流回路４１ａに通電がなされることになる。この時点で，サーモスタット４１が作動していなければ，該サーモスタット４１を介してリレー４２に通電がなされることになり，該リレー４２が作動して接点４２ｂが開かれる。これにより，地絡ライン４５は接点４２ｂの後段に接続された接点４３ａの開閉にかかわらず遮断される。
【００１６】
その後，マイコン２３は，所定の初期動作を終了した時点で，リレー４３への通電を開始する。なお，マイコン２３は，少なくともリレー４２への通電が行われた後に，リレー４３への通電を開始するものであればよい。例えば，マイコン２３は，駆動開始から所定時間経過後にリレー４３への通電を開始するように，或いは，リレー４２の通電の有無を検出して（後述の検出回路４６，図２参照），その通電有りの検出を条件にリレー４３への通電を開始するように構成されていてもよい。なお，マイコン２３が駆動するときには既にリレー４２の駆動により接点４２ｂが開かれていることが想定される場合には，該マイコン２３の駆動直後にリレー４３への通電を開始する構成であってもよい。また，マイコン２３による処理を介在させることなく，リレー４２への通電が開始されてから所定時間の経過後，リレー４３への通電を開始する遅延回路を設けておくことも他の実施例として考えられる。
そして，リレー４３への通電が開始されると，該リレー４３が作動して接点４３ａが閉じられることになる。この時点では，リレー４２が作動しており，接点４２ｂが開かれた状態であるため，接点４３ａが閉じられても，地絡ライン４５は遮断された状態である。
このようにヒートポンプ式給湯機Ｘでは，高温異常が発生しておらずサーモスタット４１が作動していない場合には，電源供給経路３１上に漏電が発生しておらず，ヒートポンプユニット１の漏電ブレーカ１２が作動しないため，商用交流電源１０からの電源供給によって給湯運転などを実行することができる。
【００１７】
次に，ヒートポンプ式給湯機Ｘにおける高温異常発生時の強制遮断回路４０の動作について説明する。
ヒートポンプ式給湯機Ｘにおいて，例えばヒートポンプユニット１のマイコン１４の暴走などによって該ヒートポンプユニット１のヒートポンプサイクルの駆動が継続し，タンクユニット２の貯湯タンク内の温水が異常加熱されて異常高温に達した場合には，その旨がサーモスタット４１によって検知される。
そして，サーモスタット４１が作動すると，直流回路４１ａが遮断されてリレー４２への通電は切断され，接点４２ｂが閉じられる。このとき，地絡ライン４５上の接点４３ａは閉じられているため，接点４２ｂが閉じられると，該地絡ライン４５が確立することになり，電源供給経路３１がアースに接続されることになる。
これにより，ヒートポンプユニット１に設けられた漏電ブレーカ１２が，電源供給経路３１のアース接地による零相電流を検知し，漏電（地絡）が発生したと判断して作動することになり，ヒートポンプユニット１への電源供給は遮断される。
【００１８】
このように，ヒートポンプ式給湯機Ｘでは，強制遮断回路４０が，高温異常が発生したことを条件に，ヒートポンプユニット１からタンクユニット２への電源供給経路３１を強制的にアースに接続して該電源供給経路３１に漏電を発生させることにより漏電ブレーカ１２を作動させ，商用交流電源１０からヒートポンプユニット１への電源供給経路を強制的に遮断している。従って，ヒートポンプユニット１のマイコン１４が暴走した場合であっても，該ヒートポンプユニット１の動作を強制的に停止させることができ，安全性を確保することができる。
なお，漏電ブレーカ１２が作動した後は，ユーザやサービスマンなどによってサーモスタット４１の復旧作業が行われない限り，仮に漏電ブレーカ１２の復旧操作を行っても，再度電源供給経路３１に漏電が発生するため，該漏電ブレーカ１２によってヒートポンプユニット１への電源供給は遮断されることになる。
【００１９】
また，本実施の形態では，強制遮断回路４０が，高温異常の発生に応じて電源供給経路３１上に漏電を発生させることにより漏電ブレーカ１２を強制的に作動させるものである場合を例に挙げて説明したが，強制遮断回路４０は，電源供給経路３１，３２に過電流や短絡を発生させることによって漏電ブレーカ１２を作動させるものであってもよい。また，過電流，短絡，漏電各々を検出し得る漏電ブレーカ１２に代えて，過電流，短絡，漏電などのいずれか一つ又は複数を検出し得るブレーカを配線用遮断器として設けておき，強制遮断回路４０を，その配線用遮断器を強制的に作動させることができるように構成しておくことも他の実施例として考えられる。
さらに，ヒートポンプ式給湯機Ｘにおいて，商用交流電源１０からヒートポンプユニット１への電源供給が漏電ブレーカ１２によって遮断されている状態であっても，該商用交流電源１０からの交流電源をヒートポンプユニット１の漏電ブレーカ１２をバイパスしてタンクユニット２に供給するように回路構成を切り換えることのできる切換スイッチをヒートポンプユニット１の漏電ブレーカ１２と端子板１１との間に設けておくことも他の実施例として考えられる。これにより，ヒートポンプユニット１の非稼働時であってもタンクユニット２を単体で稼働して，貯湯タンク内の温水の出湯を行うことが可能である。
【実施例】
【００２０】
ところで，前述したヒートポンプ式給湯機Ｘ（図１参照）では，高温異常の発生によってヒートポンプユニット１への電源供給が遮断されると，タンクユニット２への電源供給も遮断されるため，該タンクユニット２単体の動作も実行することができなくなり，該タンクユニット２内の貯湯タンクに貯湯された温水を出湯することができなくなる。
そこで，本実施例では，ヒートポンプユニット１への電源供給が遮断された後でも，タンクユニット２の貯湯タンク内の温水を出湯することができるように構成されたヒートポンプ式給湯機Ｘ１について説明する。
ここに，図２は，本実施例に係るヒートポンプ式給湯機Ｘ１の概略構成を示すブロック図である。なお，図１に示したヒートポンプ式給湯機Ｘと同様の構成については同じ符号を付してその説明を省略する。
【００２１】
図２に示すように，ヒートポンプ式給湯機Ｘ１では，タンクユニット２に，直流回路４１ａの通電の有無をマイコン２３に入力する検出回路４６が設けられている。検出回路４６は，分圧抵抗などを有しており，直流回路４１ａに通電がなされている場合に，マイコン２３に通電信号を入力することにより，該マイコン２３に直流回路４１ａの通電状態を通知する。
これにより，マイコン２３は，検出回路４６からの通知によって，直流回路４１ａ上における通電の有無や，高温異常の発生の有無を判断することができる。従って，マイコン２３は，高温異常の発生を不図示の表示部などに表示することや，後述の補助加熱ユニット５を用いた出湯運転を行うか否かなどの判断を行うことができる。
【００２２】
また，ヒートポンプ式給湯機Ｘ１は，タンクユニット２の貯湯タンクから出湯される温水を加熱するガスヒータや電気ヒータなどの補助加熱装置（補助加熱手段に相当，不図示）を備える補助加熱ユニット５を備えている。この補助加熱ユニット５は，商用交流電源５０（例えばＡＣ１００Ｖ，所定の電源の一例）に接続されており，該商用交流電源５０からの交流電源は，端子板５１，漏電ブレーカ５２を介して，マイコン５４が搭載された制御回路５３に供給される。なお，商用交流電源１０及び５０は共通であってもよい。
【００２３】
そして，タンクユニット２と補助加熱ユニット５とは，各々に設けられた端子板２８，５５を介して電源供給経路６１，６２及び信号経路６３によって接続されている。これにより，タンクユニット２は，補助加熱ユニット５を介して商用交流電源５０に接続され，該補助加熱ユニット５から供給される交流電源は，端子板２８を介して，マイコン２３が搭載された制御回路２２に供給される。
ここで，タンクユニット２の制御回路２２には，補助加熱ユニット５から供給される交流電源を低圧の直流電源に変換する電源回路（不図示）などが設けられており，該電源回路からの直流電源がマイコン２３などに供給される。また，制御回路２２の電源回路からの直流電源は，前記貯湯タンク内の温水を出湯するための循環ポンプなどの駆動系にも供給される。
即ち，ヒートポンプ式給湯機Ｘ１では，タンクユニット２におけるマイコン２３及び前記循環ポンプなどの駆動系は，補助加熱ユニット５から供給される交流電源によって駆動される。
【００２４】
従って，ヒートポンプ式給湯機Ｘ１では，高温異常が発生して漏電ブレーカ１２が作動し，ヒートポンプユニット１への交流電源の供給が遮断されても，タンクユニット２では，補助加熱ユニット５からの電源供給を受けてマイコン２３及び前記駆動系によって貯湯タンク内の温水を，その出湯経路上において補助加熱ユニット５に設けられた補助加熱装置（不図示）で加熱して出湯することができる。
このとき，補助加熱ユニット５のマイコン５４では，信号経路６３及び電源供給経路６２を通じて，タンクユニット２のマイコン２３から高温異常の発生の有無を示す異常発生信号が入力されたか否かによって，前記補助加熱装置を用いた出湯運転を実行するか否かが判断される。
【００２５】
なお，ヒートポンプ式給湯機Ｘ１において，タンクユニット２に，貯湯タンク内の温水の出湯とは関わりのない電子部品が設けられている場合には，ヒートポンプユニット１から供給される交流電源を，その電子部品の駆動に用いることが可能である。また，タンクユニット２において，ヒートポンプユニット１から供給される交流電源は使用しないことも考えられる。この場合，電源供給経路３１，３２は，単にヒートポンプユニット１への電源供給の強制切断のために用いられる。
また，高温異常が発生していない場合には，ヒートポンプユニット１からタンクユニット２に電源供給を行い，高温異常発生時には，補助加熱ユニット５からタンクユニット２に電源供給を行うように切り換える切換回路をタンクユニット２に設けておくことも他の実施例として考えられる。
【図面の簡単な説明】
【００２６】
【図１】本発明の実施の形態に係るヒートポンプ式給湯機Ｘの概略構成を示すブロック図。
【図２】本発明の実施例に係るヒートポンプ式給湯機Ｘ１の概略構成を示すブロック図。
【図３】一般的なヒートポンプ式給湯機Ｙの概略構成を示すブロック図。
【図４】一般的なヒートポンプ式給湯機Ｚの概略構成を示すブロック図。
【符号の説明】
【００２７】
１…ヒートポンプユニット
１１，１５，２１，２８，５１，５５…端子板
１２…漏電ブレーカ（配線用遮断器の一例）
１３…制御回路
１４…マイコン
２…タンクユニット
２２…制御回路
２３…マイコン
３１，３２，６１，６２…電源供給経路
３３，６３…信号経路
４０…強制遮断回路
４１…サーモスタット
４２…リレー（第１の継電器に相当）
４２ｂ…接点（第１の接点に相当）
４３…リレー（第２の継電器に相当）
４３ａ…接点（第２の接点に相当）
４４…抵抗
４５…地絡ライン
４６…検出回路
５…補助加熱ユニット
５２…漏電ブレーカ
５３…制御回路
５４…マイコン
【図１】
0005042928.tif 000002
【図２】
0005042928.tif 000003
【図３】
0005042928.tif 000004
【図４】
0005042928.tif 000005